(57)【要約】【課題】針足の先端を用紙面に向けて綴じることが可能なステープラを提供する。【解決手段】ステープル１０Ａを打ち出して一対の針足１２Ａを用紙束Ｐに貫通させる打出部材２１Ａと、用紙束Ｐを貫通した一対の針足１２Ａの内側に設けられる受け部３２Ａと、受け部３２Ａと対向して一対の針足１２Ａのそれぞれ外側に設けられる一対の可動部材３１ＡＬ、３１ＡＲとを備える。可動部材３１ＡＬ、３１ＡＲは、針足１２Ａと対向する端部に作用部３１１ＡＬ、３１１ＡＲを備え、受け部３２Ａは、針足１２Ａと対向する端部に、針足１２Ａを曲げる支点となる第１の被作用部３２１ＡＬ、３２１ＡＲを備える。作用部３１１ＡＬ、３１１ＡＲは、第１の被作用部３２１ＡＬ、３２１ＡＲに対し打出部材２１Ａから離れる方向に設けられる。【選択図】図６
2020069778.tif 000002
【特許請求の範囲】
【請求項１】
一対の針足を用紙束に貫通させる打出部と、
前記打出部により前記用紙束を貫通した前記針足の先端が内側に向くように前記針足の第１位置を曲げる曲げ部と、
前記曲げ部により前記第１位置で前記先端が内側に曲げられた前記針足の全体が内側に向くように前記第１位置より前記用紙束側に位置する第２位置を曲げるクリンチャ部とを備え、
前記曲げ部は、
一対の前記針足の内側に配置され、前記針足に対向する第１先端部を含み、前記第１先端部が前記第１位置に位置する第１部と、
一対の前記針足の外側に配置され、前記針足に対向する第２先端部を含み、前記第２先端部が前記第１位置より前記用紙束から離れる側である非用紙束側に位置する第２部と、
前記第１部及び前記第２部の少なくとも一方を前記針足方向に移動させる移動部と
を備えたステープラ。
【請求項２】
前記移動部は、前記第２部を前記針足方向に移動させる
請求項１に記載のステープラ。
【請求項３】
前記第１部は、前記第１先端部より前記非用紙束側に第１切断縁を含む固定カッタであり、
前記第２部は、前記第２先端部の一部に第２切断縁を含む可動カッタであり、前記針足方向に移動することで、前記第１切断縁と前記第２切断縁とで前記針足を切断可能に構成され、
前記第１先端部は、前記第１切断縁よりも前記針足側に突出する
請求項２に記載のステープラ。
【請求項４】
前記第１先端部は先端に向けて厚みが薄くなるように傾斜する傾斜部を含む
請求項１〜請求項３の何れか１項に記載のステープラ。
【請求項５】
前記第１先端部と前記第１切断縁は、前記第２位置と前記第１先端部とを結ぶ仮想線の延長線と、前記第１先端部と前記第１切断縁とを結ぶ仮想線の延長線とのなす角が１５度以上になるように配置される
請求項３または請求項４に記載のステープラ。
【請求項６】
前記第１先端部と前記第１切断縁は、前記第１先端部と前記第１切断縁とを結ぶ仮想線の長さが３ｍｍ以下になるように配置される
請求項３〜請求項５の何れか１項に記載のステープラ。
【発明の詳細な説明】
【技術分野】
【０００１】
複数枚の用紙からなる用紙束をステープルで綴じるステープラに関する。
【背景技術】
【０００２】
ステープルの一対の針足を用紙束に貫通させ、貫通した一対の針足をクリンチャ部で折り曲げることで前記用紙束を綴じるステープラが開示されている（例えば、特許文献１参照）。クリンチャ部は、互いに近づくようにして用紙束の面方向に沿って移動する一対のクリンチャを有する。針足の外側からクリンチャを上記の如く移動させることで、針足は用紙束の面(以下「紙面」という場合がある)に沿って内側に曲げられる。
【先行技術文献】
【特許文献】
【０００３】
【特許文献１】特開２０１８−６９６３６号公報
【発明の概要】
【発明が解決しようとする課題】
【０００４】
一対のクリンチャによって曲げられた針足は紙面に沿って直線状に曲げられるため、用紙束を綴じる際、クリンチ（針足の折り曲げ）を十分に行わないと、針足、特に針足先端が紙面から離れて浮き上がりやすいという問題があった。
【０００５】
そこで、用紙束を綴じた針足の先端が紙面から離れて浮き上がり難いステープラを提供する。
【課題を解決するための手段】
【０００６】
上述した課題を解決するため、この明細書に開示されたステープラは、一対の針足を用紙束に貫通させる打出部と、打出部により用紙束を貫通した針足の先端が内側に向くように針足の第１位置を曲げる曲げ部と、曲げ部により第１位置で先端が内側に曲げられた針足の全体が内側に向くように第１位置より用紙束側に位置する第２位置を曲げるクリンチャ部とを備える。曲げ部は、一対の針足の内側に配置され、針足に対向する第１先端部を含み、第１先端部が第１位置に位置する第１部と、一対の針足の外側に配置され、針足に対向する第２先端部を含み、第２先端部が第１位置より用紙束から離れる側である非用紙束側に位置する第２部と、第１部及び第２部の少なくとも一方を針足方向に移動させる移動部とを有する。
【０００７】
第１部は、一対の針足の内側に配置され、針足に対向する第１先端部が針足の第１位置に位置する。また、第２部は、一対の針足の外側に配置され、針足に対向する第２先端部が第１位置より非用紙束側に位置する。従って、第１部と第２部の少なくとも一方を移動部により針足方向に移動させると、針足先端は第１部と第２部とにより第１位置を支点に内側に曲げられる。そして第１位置を支点に先端が内側に曲げられた針足全体をクリンチャ部で曲げることで、用紙束を綴じた針足の第１位置から先端は用紙束側を向くようになる。このため、たとえ針足が紙面から浮くようなことがあっても、針足先端がは用紙束側を向く。
【発明の効果】
【０００８】
上記のステープラによれば、用紙束を綴じた針足の先端が紙面から離れて浮き上がり難くなる。
【図面の簡単な説明】
【０００９】
【図１】本実施の形態の画像形成システムの概要を示す構成図である。
【図２Ａ】本実施の形態のステープラを示す側面図である。
【図２Ｂ】本実施の形態のステープラを示す斜視図である。
【図２Ｃ】本実施の形態のステープラを示す斜視図である。
【図３Ａ】ステープルで用紙を綴じる動作の一例を示す説明図である。
【図３Ｂ】ステープルで用紙を綴じる動作の一例を示す説明図である。
【図３Ｃ】ステープルで用紙を綴じる動作の一例を示す説明図である。
【図３Ｄ】ステープルで用紙を綴じる動作の一例を示す説明図である。
【図３Ｅ】ステープルで用紙を綴じる動作の一例を示す説明図である。
【図４】本実施の形態のステープラの要部構成を示す斜視図である。
【図５】本実施の形態のステープラの要部構成を示す正面図である。
【図６】図５のＡ部拡大図である。
【図７】針足を曲げる好ましい形態を示す説明図である。
【図８Ａ】本実施の形態のステープラの動作例を示す斜視図である。
【図８Ｂ】本実施の形態のステープラの動作例を示す斜視図である。
【図８Ｃ】本実施の形態のステープラの動作例を示す斜視図である。
【図８Ｄ】本実施の形態のステープラの動作例を示す斜視図である。
【図９Ａ】本実施の形態のステープラの動作例を示す正面図である。
【図９Ｂ】本実施の形態のステープラの動作例を示す正面図である。
【図９Ｃ】本実施の形態のステープラの動作例を示す正面図である。
【図９Ｄ】本実施の形態のステープラの動作例を示す正面図である。
【図１０Ａ】図９ＡのＡ部拡大図である。
【図１０Ｂ】図９ＢのＡ部拡大図である。
【図１０Ｃ】図９ＣのＡ部拡大図である。
【図１０Ｄ】図９ＤのＡ部拡大図である。
【図１１Ａ】本実施の形態のステープラの変形例を示す構成図である。
【図１１Ｂ】本実施の形態のステープラの変形例を示す構成図である。
【図１２Ａ】本実施の形態のステープラの変形例を示す構成図である。
【図１２Ｂ】本実施の形態のステープラの変形例を示す構成図である。
【図１３Ａ】本実施の形態のステープラの変形例を示す構成図である。
【図１３Ｂ】本実施の形態のステープラの変形例を示す構成図である。
【図１４Ａ】本実施の形態のステープラの変形例を示す構成図である。
【図１４Ｂ】本実施の形態のステープラの変形例を示す構成図である。
【図１５Ａ】本実施の形態のステープラの変形例を示す構成図である。
【図１５Ｂ】本実施の形態のステープラの変形例を示す構成図である。
【発明を実施するための形態】
【００１０】
以下、図面を参照して、本開示の好適な実施形態について説明する。
【００１１】
＜画像形成システム及び後処理装置の構成例＞
図１は、本実施の形態の画像形成システムの概要を示す構成図である。
【００１２】
本実施の形態の画像形成システム５００Ａは、画像形成装置５０１Ａと、少なくとも１種類の処理が可能な後処理装置５０２Ａを備える。画像形成装置５０１Ａは、装置内または外部の図示しない給紙部から繰り出した用紙に画像を形成して出力する。画像形成装置５０１Ａは、本例では、走査露光による静電潜像の形成、トナーによる静電潜像の現像、トナーの用紙への転写及び定着により用紙に画像を形成する。
【００１３】
後処理装置５０２Ａは、綴じ部５０３Ａを備える。綴じ部５０３Ａは、ステープラ１Ａと画像形成装置５０１Ａから出力された用紙が重ねられた用紙束Ｐを積載する積載部５０４Ａとを備える。
【００１４】
＜本実施の形態のステープラの構成例＞
図２Ａは、本実施の形態のステープラ１Ａを示す側面図、図２Ｂ、図２Ｃは、本実施の形態のステープラを示す斜視図である。また、図３Ａ、図３Ｂ、図３Ｃ、図３Ｄ、図３Ｅは、ステープルで用紙束を綴じる動作を示す説明図である。図４は、本実施の形態のステープラの要部構成を示す斜視図、図５は、本実施の形態のステープラの要部構成を示す正面図、図６は、図５のＡ部拡大図である。
【００１５】
まず、図３Ａ、図３Ｂ、図３Ｃ、図３Ｄ、図３Ｅを参照して、ステープラ１Ａで用紙束Ｐを綴じる動作の概要について説明する。ステープル１０Ａは、図３Ａに示すように、クラウン部１１Ａの両端が一の方向に折り曲げられて、針足１２Ａが形成される。
【００１６】
ステープル１０Ａは、クラウン部１１Ａが押圧されることで、図３Ｂに示すように、針足１２Ａが用紙束Ｐを貫通する。クラウン部１１Ａが用紙束Ｐに接する位置まで、針足１２Ａが用紙束Ｐを貫通した状態で、用紙束Ｐから突出する針足１２Ａの長さが、クラウン部１１Ａの長さの半分を超えると、針足１２Ａを互いが近づく方向に折り曲げ際に、針足１２Ａが重なる。
【００１７】
そこで、針足１２Ａを折り曲げた際に互いに重なり合う針足１２Ａの余剰分を切断する。本実施の形態では、針足１２Ａの余剰分を切断する行程で、針足１２Ａの余剰分を切断する前に、図３Ｃに示すように、用紙束Ｐを貫通した一対の針足１２Ａが、第１位置Ｐ１でそれぞれ内側に曲げる。そして、図３Ｄに示すように、針足１２Ａの第１位置Ｐ１より先端側の所定の位置がカット針１３Ａとして切断される。針足１２Ａの余剰分が発生するか否かは、ステープル１０Ａで綴じる用紙束Ｐの紙厚、枚数等によって決まる。
【００１８】
針足１２Ａが所定の長さに切断されたステープル１０Ａは、図３Ｅに示すように、用紙束Ｐを貫通した針足１２Ａが、用紙束Ｐの略上面に位置する第２位置Ｐ２で更に内側に折り曲げられて、用紙束Ｐがステープル１０Ａで綴じられる。
【００１９】
図２Ａ、図２Ｂ、図２Ｃ、図４、図５及び図６図に示すように、ステープラ１Ａは、ステープル１０Ａの供給及び用紙束Ｐへのステープル１０Ａの打ち出しを行う打出ユニット２Ａと、打出ユニット２Ａにより打ち出されたステープル１０Ａの針足１２Ａの切断及び折り曲げを行う綴じユニット３Ａを備える。また、ステープラ１Ａは、打出ユニット２Ａと綴じユニット３Ａとの間に、用紙束Ｐを挟持するための用紙挟持部４Ａを備える。
【００２０】
以下の説明では、用紙挟持部４Ａが設けられる側をステープラ１Ａの前側とし、用紙挟持部４Ａが設けられる側と反対側を後側とする。また、綴じユニット３Ａが設けられる側をステープラ１Ａの上側とし、打出ユニット２Ａが設けられる側をステープラ１Ａの下側とする。
【００２１】
打出ユニット２Ａは、用紙束Ｐを載置可能な載置部４０Ａと、載置部４０Ａの下方後側に位置し、図示しない複数枚のステープルシート（直線状のステープルをシート状に連結したもの）を積層したステープルカートリッジ１００Ａを収容可能なカートリッジ収容部１１０Ａと、カートリッジ収容部１１０Ａに収容されたステープルシートを前方へ送り、少なくともステープルシートの最先端に位置する１本のステープルをステープルカートリッジ１００Ａの前端面から露出させる送り部２２Ａと、ステープルカートリッジ１００Ａの前端面から露出した直線状のステープルを略コ（Ｕ）字状に成型する成型部と、コ字状に成型されたステープル１０Ａを用紙挟持部４Ａに向けて打出可能に配置された打出部２０Ａとを有する。
【００２２】
カートリッジ収容部１１０Ａは、ステープルカートリッジ１００Ａが着脱可能に取り付けられる。
【００２３】
綴じユニット３Ａは、用紙束Ｐを貫通したステープル１０Ａの針足１２Ａを切断可能な切断部３４Ａと、用紙束Ｐを貫通したステープル１０Ａの針足１２Ａを、内側、すなわち用紙束Ｐの方向へ折り曲げるクリンチャ部３３Ａとを有する。
【００２４】
用紙挟持部４Ａは、打出ユニット２Ａの載置部４０Ａと綴じユニット３Ａのクリンチャ部３３Ａとの間に形成された空間であり、ステープラ１Ａの前側と、左右の両側の３方向が開口した形状である。ステープラ１Ａにより用紙束Ｐを綴じるときは、用紙挟持部４Ａに用紙束が挿入され、打出ユニット２Ａの載置部４０Ａに用紙束Ｐが載置される。
【００２５】
打出ユニット２Ａは、打出ユニット２Ａに対して綴じユニット３Ａを上下動（開閉）させるための駆動部５Ａを有する。駆動部５Ａは、モータ５０Ａと、モータ５０Ａの駆動により回転するカム５１Ａと、カム５１Ａの動作を各部に伝達する図示しないリンク等を有する。綴じユニットはリンクに接続され、カムの回転により下方に移動する。
【００２６】
さらに、ステープラ１Ａは、後側に切断部３４Ａで切断されたカット針１３Ａを収納するカット針収納部６Ａを着脱可能に備える。
【００２７】
綴じユニット３Ａは、カム５１Ａの動作がリンク等を介して綴じユニット３Ａに伝達されることで、打出ユニット２Ａに対して離接する方向に移動する。綴じユニット３Ａは、カム５１Ａが一方向に回転する動作で、打出ユニット２Ａに近づく方向に移動して、所定のタイミングで載置部４０Ａに載置された用紙束Ｐを用紙挟持部４Ａで挟持する。また、綴じユニット３Ａは、カム５１Ａが更に一方向に回転する動作で、所定のタイミングで打出ユニット２Ａから離れる方向に移動して、用紙挟持部４Ａでの用紙束Ｐの挟持を解除する。
【００２８】
打出ユニット２Ａは、載置部４０Ａに載置された用紙束Ｐを用紙挟持部４Ａで挟持した後、カム５１Ａが１方向に回転する動作で、最先端のステープル１０Ａ１本を、用紙挟持部４Ａで挟持された用紙束Ｐに打ち込んで、ステープル１０Ａの針足１２Ａを用紙束Ｐに貫通させる。また、図示しない成型部で最先端に続く２本目もしくは３本目の直線状のステープルを、略コ（Ｕ）字状に形成する。
【００２９】
更に、綴じユニット３Ａは、カム５１Ａの動作がリンク等を介して伝達され、カム５１Ａが一方向に回転する動作で、用紙束Ｐを貫通したステープル１０Ａの針足１２Ａを第１位置Ｐ１で折り曲げて切断し、さらに第２位置Ｐ２で針足１２Ａを折り曲げる。
【００３０】
打出部２０Ａは、ステープル１０Ａのクラウン部１１Ａを押圧し、綴じユニット３Ａ方向に打ち出す打出部材２１Ａを備える。打出部材２１Ａは、ステープル１０Ａの用紙束Ｐへの打出方向においてクラウン部１１Ａと対向する位置に設けられ、クラウン部１１Ａ及び用紙束Ｐに向けて上述した打出方向に移動可能に構成される。用紙束Ｐの綴じ位置にステープル１０Ａがセットされた状態で、打出部材２１Ａが打出方向に移動してクラウン部１１Ａを押圧することで、針足１２Ａは用紙束Ｐを貫通する。
【００３１】
用紙束Ｐを貫通した針足１２Ａ近傍には、用紙束Ｐから貫通した針足１２Ａ全体を曲げて用紙束Ｐを綴じる前に、針足１２Ａの一部を曲げる曲げ部３０Ａが設けられる。曲げ部３０Ａは、一対の針足１２Ａの内側に配置され、針足１２Ａに対向する第１先端部を含み、第１先端部が針足１２Ａの第１位置に位置する第１部と、それぞれの針足１２Ａの外側に配置され、針足１２Ａに対向する第２先端部を含み、第２先端部が針足１２Ａの第１位置より用紙束Ｐから離れる側である非用紙束側に位置する第２部と、第２部を針足１２Ａの方向に移動させる移動部３０１ＡＬ、３０１ＡＲとを有する。
【００３２】
本実施の形態では、切断部３４Ａで曲げ部３０Ａが構成される。曲げ部３０Ａ（切断部３４Ａ）は、用紙束Ｐを貫通した針足１２Ａを切断する動作で、針足１２Ａの先端側が内側に向くように、針足１２Ａを切断する前に、一対の針足１２Ａを第１位置Ｐ１でそれぞれ内側に曲げる。
【００３３】
曲げ部３０Ａ（切断部３４Ａ）は、一方の針足１２Ａの外側に可動部材３１ＡＬを備え、他方の針足１２Ａの外側に可動部材３１ＡＲを備える。更に、曲げ部３０Ａ（切断部３４Ａ）は、一対の針足１２Ａの内側に受け部３２Ａを備える。
【００３４】
受け部３２Ａは第１部の一例で、可動部材３１ＡＬ、３１ＡＲが取り付けられる支持部材３２０Ａに設けられる。受け部３２Ａは、支持部材３２０Ａに、ステープル１０Ａのクラウン部１１Ａの幅より狭い所定の幅で突出する凸状の部位を一体に設けて構成される。
【００３５】
可動部材３１ＡＬ、３１ＡＲは第２部の一例で、可動部材３１ＡＬは、軸３２０ＡＬにより支持部材３２０Ａに支持され、可動部材３１ＡＲは、軸３２０ＡＲにより支持部材３２０Ａに支持される。軸３２０ＡＬ、３２０ＡＲは、支持部材３２０Ａの一の面である上面に、支持部材３２０Ａに対して直交する方向に突出する形態で取り付けられる。
【００３６】
可動部材３１ＡＬは、軸受け部３１０ＡＬに軸３２０ＡＬが挿入されることで、軸３２０ＡＬを支点として回転可能に支持部材３２０Ａの上面に取り付けられる。可動部材３１ＡＲは、軸受け部３１０ＡＲに軸３２０ＡＲが挿入されることで、軸３２０ＡＲを支点として回転可能に支持部材３２０Ａの上面に取り付けられる。
【００３７】
可動部材３１ＡＬは、軸３２０ＡＬを支点とした回転動作で、受け部３２Ａ及び針足１２Ａに対し近づく方向及び離れる方向に移動する端部に作用部３１１ＡＬを備える。作用部３１１ＡＬは第２先端部の一例で、用紙束Ｐを貫通した一方の針足１２Ａの外側の面と対向する。可動部材３１ＡＲは、軸３２０ＡＲを支点とした回転動作で、受け部３２Ａ及び針足１２Ａに対し近づく方向及び離れる方向に移動する端部に作用部３１１ＡＲを備える。作用部３１１ＡＲは第２先端部の一例で、用紙束Ｐを貫通した他方の針足１２Ａの外側の面と対向する。
【００３８】
受け部３２Ａは、一方の端部に第１の被作用部３２１ＡＬと第２の被作用部３２２ＡＬを備える。第１の被作用部３２１ＡＬは第１先端部の一例で、用紙束Ｐを貫通した一方の針足１２Ａの内側の面と対向する。第２の被作用部３２２ＡＬは、用紙束Ｐを貫通した一方の針足１２Ａの内側の面と対向する。受け部３２Ａは、他方の端部に第１の被作用部３２１ＡＲと第２の被作用部３２２ＡＲを備える。第１の被作用部３２１ＡＲは第１先端部の一例で、用紙束Ｐを貫通した一方の針足１２Ａの内側の面と対向する。第２の被作用部３２２ＡＲは、用紙束Ｐを貫通した他方の針足１２Ａの内側の面と対向する。
【００３９】
軸３２０ＡＬを支点とした可動部材３１ＡＬの回転動作による作用部３１１ＡＬの移動方向に対して直交する方向、及び、軸３２０ＡＲを支点とした可動部材３１ＡＲの回転動作による作用部３１１ＡＲの移動方向に対して直交する方向を矢印ＡＺで示す。なお、矢印ＡＺ方向は、用紙束Ｐを貫通したステープル１０Ａの針足１２Ａの延伸方向と略平行な方向である。
【００４０】
また、同回転動作による作用部３１１ＡＬの移動方向に沿った方向、及び、作用部３１１ＡＲの移動方向に沿った方向を矢印ＡＸで示す。
【００４１】
可動部材３１ＡＬは、矢印ＡＺ方向において受け部３２Ａより上側に設けられる。また、可動部材３１ＡＲは、矢印ＡＺ方向において、受け部３２Ａより上側に設けられる。なお、ここでの上側とは、打出部材２１Ａから離れる方向である。また、図１Ａ等に示す用紙挟持部４Ａに用紙束Ｐが挟持された状態で、用紙束Ｐから離れる側が用紙束側である。
【００４２】
受け部３２Ａは、矢印ＡＺ方向に沿った上下に、第１の被作用部３２１ＡＬと第２の被作用部３２２ＡＬが設けられる。第１の被作用部３２１ＡＬと第２の被作用部３２２ＡＬは、矢印ＡＺ方向において、第１の被作用部３２１ＡＬより作用部３１１ＡＬに近い側、本例では上側に設けられる。
【００４３】
受け部３２Ａは、ＡＺ方向に沿った上下に、第１の被作用部３２１ＡＲと第２の被作用部３２２ＡＲが設けられる。第１の被作用部３２１ＡＲと第２の被作用部３２２ＡＲは、ＡＺ方向において、第１の被作用部３２１ＡＲより第２の被作用部３２２ＡＲが作用部３１１ＡＲに近い側、本例では上側に設けられる。
【００４４】
第１の被作用部３２１ＡＬの先端は、ＡＸ方向において、第２の被作用部３２２ＡＬの先端より針足１２Ａ側に突出して設けられる。
【００４５】
第１の被作用部３２１ＡＲの先端は、ＡＸ方向において、第２の被作用部３２２ＡＲの先端より対向する針足１２Ａ側に突出して設けられる。
【００４６】
以上のことから、受け部３２Ａの一方の端部は、受け部３２Ａの上面と一方の側面との角部で第２の被作用部３２２ＡＬが形成される。また、受け部３２Ａの一方の端部は、矢印ＡＺ方向において、第２の作用部３２２ＡＬから離れた所定の位置の角部で、針足１２Ａを曲げる支点となる第１の被作用部３２１ＡＬが形成される。そして、矢印ＡＸ方向において、第２の被作用部３２２ＡＬが第１の被作用部３２１ＡＬより内側に設けられ、第１の被作用部３２１ＡＬが第２の被作用部３２２ＡＬより針足１２Ａ側に突出する。また、第１の被作用部３２１ＡＬは、一方の針足１２Ａと対向する先端に向けて厚みが薄くなるように傾斜する傾斜部３２３ＡＬを含む。
【００４７】
受け部３２Ａの他方の端部は、受け部３２Ａの上面と他方の側面との角部で第２の被作用部３２２ＡＲが形成される。また、受け部３２Ａの他方の端部は、矢印ＡＺ方向において、第２の作用部３２２ＡＲから離れた所定の位置の角部で、針足１２Ａを曲げる支点となる第１の被作用部３２１ＡＲが形成される。そして、矢印ＡＸ方向において、第２の被作用部３２２ＡＲが第１の被作用部３２１ＡＲより内側に設けられ、第１の被作用部３２１ＡＲが第２の被作用部３２２ＡＲより針足１２Ａ側に突出する。また、第１の被作用部３２１ＡＲは、他方の針足１２Ａと対向する先端に向けて厚みが薄くなるように傾斜する傾斜部３２３ＡＲを含む。用紙束Ｐを貫通した一方の針足１２Ａにおいて、第１の被作用部３２１ＡＬと接する部位が、曲げの支点となる第１位置Ｐ１となる。また、用紙束Ｐを貫通した他方の針足１２Ａにおいて、第１の被作用部３２１ＡＲと接する部位が、曲げの支点となる第１位置Ｐ１となる。更に、受け部３２Ａは、第２の被作用部３２２ＡＬと、可動部材３１ＡＬの作用部３１１ＡＬで一方の針足１２Ａを切断し、第２の被作用部３２２ＡＲと、可動部材３１ＡＲの作用部３１１ＡＲで他方の針足１２Ａを切断する固定カッタである。受け部３２Ａは、第１の被作用部３２１ＡＬ、３２１ＡＲより非用紙束側の第２の被作用部３２２ＡＬ、３２２ＡＲで第１切断縁を構成する。
【００４８】
作用部３１１ＡＬは、矢印ＡＺ方向において、第２の被作用部３２２ＡＬより上側である非用紙束側に設けられる。また、作用部３１１ＡＲは、矢印ＡＺ方向において、第２の被作用部３２２ＡＲより上側である非用紙束側に設けられる。
【００４９】
可動部材３１ＡＬは、作用部３１１ＡＬと、受け部３２Ａの第１の被作用部３２１ＡＬ及び第２の被作用部３２２ＡＬとの間に針足１２Ａが通る所定の隙間が形成された状態から、作用部３１１ＡＬが第２の被作用部３２２ＡＬを通過する位置まで、軸３２０ＡＬを支点とした回転動作で作用部３１１ＡＬが移動する。
【００５０】
可動部材３１ＡＲは、作用部３１１ＡＲと、受け部３２Ａの第１の被作用部３２１ＡＲ及び第２の被作用部３２２ＡＲとの間に針足１２Ａが通る所定の隙間が形成された状態から、作用部３１１ＡＲが第２の被作用部３２２ＡＲを通過する位置まで、軸３２０ＡＲを支点とした回転動作で作用部３１１ＡＲが移動する。可動部材３１ＡＬは、作用部３１１ＡＬが一方の針足１２Ａ方向に移動することで、作用部３１１ＡＬと、受け部３２Ａの第２の被作用部３２２ＡＬで一方の針足１２Ａを切断する可動カッタである。可動部材３１ＡＬは、作用部３１１ＡＬで第２切断縁を構成する。また、可動部材３１ＡＲは、作用部３１１ＡＲが他方の針足１２Ａ方向に移動することで、作用部３１１ＡＲと、受け部３２Ａの第２の被作用部３２２ＡＲで他方の針足１２Ａを切断する可動カッタである。可動部材３１ＡＲは、作用部３１１ＡＲで第２切断縁を構成する。
【００５１】
曲げ部３０Ａは、可動部材３１ＡＬ、３１ＡＲを針足１２Ａ方向に移動させる移動部３０１ＡＬ、３０１ＡＲを備える。移動部３０１ＡＬ、３０１ＡＲは、図１等に示すカム５１Ａの動作がリンク等を介して伝達され、一対の可動部材３１ＡＬ、３１ＡＲを、互いが近づく方向及び離れる方向に移動させる。移動部３０１ＡＬは、一方の可動部材３１ＡＬを、可動部材３１ＡＬの内側に位置する一方の針足１２Ａ方向に移動させる。移動部３０１ＡＲは、他方の可動部材３１ＡＲを、可動部材３１ＡＲの内側に位置する他方の針足１２Ａ方向に移動させる。クリンチャ部３３Ａは、打出部材２１Ａで打ち出されたステープル１０Ａの用紙束Ｐを貫通した一方の針足１２Ａを曲げる曲げ部材３３ＡＬ、３３ＡＲを備える。曲げ部材３３ＡＬ、３３ＡＲは、互いが近づく方向及び離れる方向に直線動作で移動すると共に、用紙束Ｐに近づく方向に回転動作で移動する。
【００５２】
図７は、針足１２Ａを曲げる好ましい形態を示す説明図である。受け部３２Ａの第１の被作用部３２１ＡＲ（３２１ＡＬ）と第２の被作用部３２２ＡＲ（３２２ＡＬ）は、用紙束Ｐの上面に位置する針足１２Ａの第２位置Ｐ２と、第１の被作用部３２１ＡＲ（３２１ＡＬ）とを結ぶ仮想線Ｌｎ１の延長線Ｌｎ１１と、第１の被作用部３２１ＡＲ（３２１ＡＬ）と第２の被作用部３２２ＡＲ（３２２ＡＬ）とを結ぶ仮想線Ｌｎ２の延長線Ｌｎ２１とのなす角度αが、１５°以上であることが好ましく、さらに、角度αは１５°から４５°の範囲であるとより好ましい。角度αが１５°以下になると、針足１２Ａを第１位置Ｐ１で曲げた曲げ量の弾性変形分が戻ることにより、曲げが形成され難くなる。
【００５３】
また、第１の被作用部３２１ＡＲ（３２１ＡＬ）と第２の被作用部３２２ＡＲ（３２２ＡＬ）とを結ぶ仮想線Ｌｎ２の長さＬｓ１０が、３ｍｍ以下であることが好ましい。針足１２Ａの第１位置Ｐ１の曲げ部から先が長くなると、綴じた状態での第１位置Ｐ１の曲げ部が用紙束Ｐの表面から離れる量も多くなり、綴じたときの針足１２Ａの第１位置Ｐ１の高さが高くなる。
【００５４】
＜本実施の形態のステープラの動作例＞
図８Ａ、図８Ｂ、図８Ｃ、図８Ｄは、本実施の形態のステープラの動作例を示す斜視図、図９Ａ、図９Ｂ、図９Ｃ、図９Ｄは、本実施の形態のステープラ１Ａの動作例を示す正面図である。また、図１０Ａは、図９ＡのＡ部拡大図、図１０Ｂは、図９ＢのＡ部拡大図、図１０Ｃは、図９ＣのＡ部拡大図、図１０Ｄは、図９ＤのＡ部拡大図である。以下に、各図を参照して、本実施の形態のステープラ１Ａの動作について説明する。
【００５５】
図８Ａ、図９Ａ、図１０Ａは、可動部材３１ＡＬ、３１ＡＲが待機位置に移動した状態を示す。可動部材３１ＡＬ、３１ＡＲが待機位置に移動した状態では、可動部材３１ＡＬは、作用部３１１ＡＬと、受け部３２Ａの第１の被作用部３２１ＡＬ及び第２の被作用部３２２ＡＬとの間に所定の隙間が形成された状態である。また、可動部材３１ＡＲは、作用部３１１ＡＲと、受け部３２Ａの第１の被作用部３２１ＡＲ及び第２の被作用部３２２ＡＲとの間に所定の隙間が形成された状態である。所定の隙間とは、打出部材２１Ａで打出されたステープル１０Ａが通過できる隙間である。
【００５６】
可動部材３１ＡＬ、３１ＡＲが待機位置に移動した状態で、図１等に示す綴じユニット３Ａが打出ユニット２Ａに近づく方向に移動することで、用紙挟持部４Ａに用紙束Ｐを挟持する。
【００５７】
打出ユニット２Ａに設けられる打出部２０Ａの打出部材２１Ａは、用紙挟持部４Ａで用紙束Ｐを挟持した状態で、成型されたステープル１０Ａのクラウン部１１Ａを押圧し、ステープル１０Ａを打ち出す。打出部材２１Ａで打ち出されたステープル１０Ａは、針足１２Ａが用紙束Ｐを貫通し、図８Ａ、図９Ａ、図１０Ａに示すように、一方の針足１２Ａが作用部３１１ＡＬと第１の被作用部３２１ＡＬ及び第２の被作用部３２２ＡＬとの間を通り、他方の針足１２Ａが作用部３１１ＡＲと第１の被作用部３２１ＡＲ及び第２の被作用部３２２ＡＲとの間を通る。
【００５８】
図８Ｂ、図９Ｂ、図１０Ｂは、可動部材３１ＡＬ、３１ＡＲが切断終了位置に移動した状態を示す。可動部材３１ＡＬ、３１ＡＲが切断終了位置に移動した状態では、可動部材３１ＡＬは、作用部３１１ＡＬが第２の被作用部３２２ＡＬを通過する位置まで、軸３２０ＡＬを支点とした回転動作で作用部３１１ＡＬが移動する。また、可動部材３１ＡＲは、作用部３１１ＡＲが第２の被作用部３２２ＡＲを通過する位置まで、軸３２０ＡＲを支点とした回転動作で作用部３１１ＡＲが移動する。
【００５９】
図８Ａ、図９Ａ、図１０Ａ、及び、図８Ｂ、図９Ｂ、図１０Ｂに矢印Ｆ１で示すように、可動部材３１ＡＬが待機位置から切断終了位置に移動する過程で、まず、可動部材３１ＡＬの作用部３１１ＡＬが一方の針足１２Ａの外側の面に接する。また、可動部材３１ＡＲが待機位置から切断終了位置に移動する過程で、まず、可動部材３１ＡＲの作用部３１１ＡＲが他方の針足１２Ａの外側の面に接する。
【００６０】
受け部３２Ａの第１の被作用部３２１ＡＬ、３２１ＡＲの間隔Ｌ１は、クラウン部１１Ａの幅Ｌより短い。これにより、一対の針足１２Ａのそれぞれ外側から、用紙束Ｐから突出した部位を内側方向に押す力が加わることで、用紙束Ｐの上面を曲げの支点として、一対の針足１２Ａが、第１位置Ｐ１より用紙束Ｐ側に位置する針足１２Ａの第２位置Ｐ２で、それぞれ内側方向に曲げられる。
【００６１】
一対の針足１２Ａの用紙束Ｐから突出した部位が、第２位置Ｐ２でそれぞれ内側方向に曲げられると、一方の針足１２Ａが第１の被作用部３２１ＡＬに接し、他方の針足１２Ａが第１の被作用部３２１ＡＲに接する。
【００６２】
受け部３２Ａの第２の被作用部３２２ＡＬ、３２２ＡＲの間隔Ｌ２は、第１の被作用部３２１ＡＬ、３２１ＡＲの間隔Ｌ１より短い。また、一対の針足１２Ａの用紙束Ｐから突出した部位が、用紙束Ｐの上面を支点とした第２位置Ｐ２で内側に曲がり、かつ、第２位置Ｐ２より先端側の部位が直線状である状態では、針足１２Ａは第２の被作用部３２２ＡＬ、３２２ＡＲに接しない。
【００６３】
これにより、可動部材３１ＡＬが待機位置から切断終了位置に移動する過程で、一方の針足１２Ａが第１の被作用部３２１ＡＬに接した状態で、この針足１２Ａを内側方向に押す力が更に加わることで、一方の針足１２Ａは、第１の被作用部３２１ＡＬを支点として、第１の被作用部３２１ＡＬに接した部位を第１位置Ｐ１として、第１位置Ｐ１より先端側が更に内側に曲げられる。また、可動部材３１ＡＲが待機位置から切断終了位置に移動する過程で、他方の針足１２Ａが第１の被作用部３２１ＡＲに接した状態で、この針足１２Ａを内側方向に押す力が更に加わることで、他方の針足１２Ａは、第１の被作用部３２１ＡＲを支点として、第１の被作用部３２１ＡＲに接した部位を第１位置Ｐ１として、第１位置Ｐ１より先端側が更に内側に曲げられる。
【００６４】
一対の針足１２Ａの用紙束Ｐから突出した部位が、第１の被作用部３２１ＡＬ、３２１ＡＲを支点として第１位置Ｐ１で更に内側方向に曲げられると、一方の針足１２Ａが第２の被作用部３２２ＡＬに接し、他方の針足１２Ａが第２の被作用部３２２ＡＲに接する。
【００６５】
可動部材３１ＡＬの作用部３１１ＡＬと、受け部３２Ａの第２の被作用部３２２ＡＬとの間に針足１２Ａが挟持された状態で、可動部材３１ＡＬが切断終了位置まで移動することで、針足１２Ａは作用部３１１ＡＬで構成される第２切断縁と第２の被作用部３２２ＡＬで構成される第１切断縁でせん断され、一方の針足１２Ａが切断される。また、可動部材３１ＡＲの作用部３１１ＡＲと、受け部３２Ａの第２の被作用部３２２ＡＲとの間に針足１２Ａが挟持された状態で、可動部材３１ＡＲが切断終了位置まで移動することで、針足１２Ａは作用部３１１ＡＲの第２切断縁と第２の被作用部３２２ＡＲの第１切断縁でせん断され、他方の針足１２Ａが切断される。切断されたカット針１３は、図１等に示すカット針収納部６Ａに収納される。
【００６６】
第２の被作用部３２２ＡＬに接した部位より先端側が切断された一方の針足１２Ａは、第１の被作用部３２１ＡＬに接した部位より先端側が、第１の被作用部３２１ＡＬを支点として第１位置Ｐ１で内側に折り曲げられた形態である。また、第２の被作用部３２２ＡＲに接した部位より先端側が切断された他方の針足１２Ａは、第１の被作用部３２１ＡＲに接した部位より先端側が、第１の被作用部３２１ＡＲを支点として第１位置Ｐ１で内側に折り曲げられた形態である。
【００６７】
図８Ｃ、図９Ｃ、図１０Ｃは、曲げ部材３３ＡＬ、３３ＡＲが曲げ開始位置に移動した状態を示す。曲げ部材３３ＡＬ、３３ＡＲは、矢印Ｆ２に示すように、互いが近づく方向に直線動作で移動することで、針足１２Ａの外側の面に接する曲げ開始位置に移動する。曲げ部材３３ＡＬ、３３ＡＲが曲げ開始位置に移動する動作と連動して、支持部材３２０Ａが後方へ移動することで、可動部材３１ＡＬ、３１ＡＲと、受け部３２Ａが、針足１２Ａ及び曲げ部材３３ＡＬ、３３ＡＲの間から退避する。
【００６８】
図８Ｄ、図９Ｄ、図１０Ｄは、曲げ部材３３ＡＬ、３３ＡＲが曲げ終了位置に移動した状態を示す。曲げ部材３３ＡＬ、３３ＡＲは、曲げ開始位置から、矢印Ｆ２に示すように、互いが近づく方向に直線動作で更に移動することで、針足１２Ａを内側に押す。曲げ部材３３ＡＬが曲げ開始位置から曲げ終了位置に移動する過程で、針足１２Ａを内側方向に押す力が加わることで、一方の針足１２Ａは、用紙束Ｐから突出した部位が、用紙束Ｐの上面を支点として第２位置Ｐ２で更に内側に曲がる。また、曲げ部材３３ＡＲが曲げ開始位置から曲げ終了位置に移動する過程で、針足１２Ａを内側方向に押す力が加わることで、他方の針足１２Ａは、用紙束Ｐから突出した部位が、用紙束Ｐの上面を支点として第２位置Ｐ２で更に内側に曲がる。
【００６９】
曲げ部材３３ＡＬ、３３ＡＲは、互いが近づく方向に直線動作で移動した後、矢印Ｆ３で示すように、用紙束Ｐに近づく方向に回転動作で移動する。これにより、曲げ部材３３ＡＬは、一方の針足１２Ａを用紙束Ｐに押し付け、曲げ部材３３ＡＲは、他方の針足１２Ａを用紙束Ｐに押し付ける。
【００７０】
本実施の形態のステープラ１Ａでは、可動部材３１ＡＬ、３１ＡＲで針足１２Ａを切断する動作で、第１の被作用部３２１ＡＬ、３２１ＡＲに接する部位より先端側の針足１２Ａが、第１の被作用部３２１ＡＬ、３２１ＡＲを支点として第１位置Ｐ１で内側に曲げられる。これにより、針足１２Ａの先端が用紙束Ｐの表面から浮き上がり難くなる。
【００７１】
＜本実施の形態のステープラの変形例＞
上述したステープラ１Ａでは、可動部材３１ＡＬ、３１ＡＲと受け部３２Ａは、ステープル１０Ａの針足１２Ａの先端側を曲げる機能と切断する機能を備える構成とした。これに対し、以下の変形例では、可動部材及び受け部は、針足を切断する機能は備えていない。
【００７２】
図１１Ａ、図１１Ｂは、本実施の形態のステープラの変形例を示す構成図である。ステープラ１Ｂの全体構成は、図２Ａ、図２Ｂ、図２Ｃで説明した構成と同等である。ステープラ１Ｂは、用紙束Ｐを貫通した針足１２Ａの先端が内側に向くように、針足１２Ａの第１位置Ｐ１を曲げる曲げ部３０Ｂを備える。
【００７３】
曲げ部３０Ｂは、一方の針足１２Ａの外側に可動部材３１ＢＬを備え、他方の針足１２Ａの外側に可動部材３１ＢＲを備える。更に、ステープラ１Ｂは、一対の針足１２Ａの間に受け部３２Ｂを備える。
【００７４】
受け部３２Ｂは第１部の一例で、一方の端部に被作用部３２１ＢＬを備える。被作用部３２１ＢＬは第１先端部の一例で、用紙束Ｐを貫通した一方の針足１２Ａの内側の面と対向する部位が平面状に構成される。受け部３２Ｂは、他方の端部に被作用部３２１ＢＲを備える。被作用部３２１ＢＲは第１先端部の一例で、用紙束Ｐを貫通した他方の針足１２Ａの内側の面と対向する部位が平面状に構成される。
【００７５】
可動部材３１ＢＬ、３１ＢＲは第２部の一例で、受け部３２Ｂに対し近づく方向及び離れる方向に移動する。可動部材３１ＢＬは、受け部３２Ｂに対し近づく方向及び離れる方向に移動する端部に作用部３１１ＢＬを備える。作用部３１１ＢＬは第２先端部の一例で、用紙束Ｐを貫通した一方の針足１２Ａの外側の面と対向する部位が平面状に構成される。可動部材３１ＢＲは、受け部３２Ｂに対し近づく方向及び離れる方向に移動する端部に作用部３１１ＢＲを備える。作用部３１１ＢＲは第２先端部の一例で、用紙束Ｐを貫通した他方の針足１２Ａの外側の面と対向する部位が平面状に構成される。
【００７６】
矢印ＡＺ方向において、可動部材３１ＢＬは受け部３２Ｂより上側に設けられ、可動部材３１ＢＬの作用部３１１ＢＬが、受け部３２Ｂの被作用部３２１ＢＬより上側に設けられる。また、矢印ＡＺ方向において、可動部材３１ＢＲは、受け部３２Ｂより上側に設けられ、可動部材３１ＢＲの作用部３１１ＢＲが、受け部３２Ｂの被作用部３２１ＢＲより上側に設けられる。
【００７７】
図１１Ａは、可動部材３１ＢＬ、３１ＢＲが待機位置に移動した状態を示す。可動部材３１ＢＬ、３１ＢＲが待機位置に移動した状態では、可動部材３１ＢＬは、作用部３１１ＢＬと、受け部３２Ｂの被作用部３２１ＢＬとの間に所定の隙間が形成される。また、可動部材３１ＢＲは、作用部３１１ＢＲと、受け部３２Ｂの被作用部３２１ＢＲとの間に所定の隙間が形成される。
【００７８】
打出部材２１Ａで打ち出されたステープル１０Ａは、針足１２Ａが用紙束Ｐを貫通し、一方の針足１２Ａが作用部３１１ＢＬと被作用部３２１ＢＬとの間を通り、他方の針足１２Ａが作用部３１１ＢＲと被作用部３２１ＢＲとの間を通る。
【００７９】
図１１Ｂは、可動部材３１ＢＬ、３１ＢＲが曲げ終了位置に移動した状態を示す。可動部材３１ＢＬ、３１ＢＲが曲げ終了位置に移動した状態では、可動部材３１ＢＬは、作用部３１１ＢＬが被作用部３２１ＢＬを通過する位置まで移動する。また、可動部材３１ＢＲは、作用部３１１ＢＲが被作用部３２１ＢＲを通過する位置まで移動する。
【００８０】
図１１Ａ及び図１１Ｂに矢印Ｆ１で示すように、可動部材３１ＢＬが待機位置から曲げ終了位置に移動する過程で、まず、可動部材３１ＢＬの作用部３１１ＢＬが一方の針足１２Ａの外側の面に接する。また、可動部材３１ＢＲが待機位置から曲げ終了位置に移動する過程で、まず、可動部材３１ＢＲの作用部３１１ＢＲが他方の針足１２Ａの外側の面に接する。
【００８１】
受け部３２Ｂの被作用部３２１ＢＬ、３２１ＢＲの間隔Ｌ１は、クラウン部１１Ａの幅Ｌより短い。これにより、一対の針足１２Ａのそれぞれ外側から、用紙束Ｐから突出した部位を内側方向に押す力が加わることで、用紙束Ｐの上面を曲げの支点として、一対の針足１２Ａが、第１位置Ｐ１より用紙束Ｐ側に位置する針足１２Ａの第２位置Ｐ２で、それぞれ内側方向に曲げられる。
【００８２】
一対の針足１２Ａの用紙束Ｐから突出した部位が、それぞれ内側方向に曲げられると、一方の針足１２Ａが被作用部３２１ＢＬに接し、他方の針足１２Ａが被作用部３２１ＢＲに接する。
【００８３】
これにより、可動部材３１ＢＬが待機位置から曲げ終了位置に移動する過程で、一方の針足１２Ａが被作用部３２１ＢＬに接した状態で、この針足１２Ａを内側方向に押す力が更に加わる。よって、一方の針足１２Ａは、被作用部３２１ＢＬを支点として、被作用部３２１ＢＬに接した部位を第１位置Ｐ１として、第１位置Ｐ１より先端側が更に内側に曲げられる。また、可動部材３１ＢＲが待機位置から曲げ終了位置に移動する過程で、他方の針足１２Ａが被作用部３２１ＢＲに接した状態で、この針足１２Ａを内側方向に押す力が更に加わる。よって、他方の針足１２Ａは、被作用部３２１ＢＲを支点として、被作用部３２１ＢＲに接した部位を第１位置Ｐ１として、第１位置Ｐ１より先端側が更に内側に曲げられる。針足１２Ａ全体を第２位置Ｐ２から曲げる動作は、図８Ｃ、図８Ｄ、図９Ｃ、図９Ｄ、図１０Ｃ、図１０Ｄと同様である。
【００８４】
図１２Ａ、図１２Ｂは、本実施の形態のステープラの変形例を示す構成図である。ステープラ１Ｃの全体構成は、図２Ａ、図２Ｂ、図２Ｃで説明した構成と同等である。ステープラ１Ｃは、用紙束Ｐを貫通した針足１２Ａの先端が内側に向くように、針足１２Ａの第１位置Ｐ１を曲げる曲げ部３０Ｃを備える。
【００８５】
曲げ部３０Ｃは、一方の針足１２Ａの外側に可動部材３１ＣＬを備え、他方の針足１２Ａの外側に可動部材３１ＣＲを備える。更に、ステープラ１Ｃは一対の針足１２Ａの間に受け部３２Ｃを備える。
【００８６】
受け部３２Ｃは第１部の一例で、一方の端部に被作用部３２１ＣＬを備える。被作用部３２１ＣＬは第１先端部の一例で、用紙束Ｐを貫通した一方の針足１２Ａの内側の面と対向する部位が曲面状に構成される。受け部３２Ｃは、他方の端部に被作用部３２１ＣＲを備える。被作用部３２１ＣＲは第１先端部の一例で、用紙束Ｐを貫通した他方の針足１２Ａの内側の面と対向する部位が曲面状に構成される。
【００８７】
可動部材３１ＣＬ、３１ＣＲは第２部の一例で、受け部３２Ｃに対し近づく方向及び離れる方向に移動する。可動部材３１ＣＬは、受け部３２Ｃに対し近づく方向及び離れる方向に移動する端部に作用部３１１ＣＬを備える。作用部３１１ＣＬは第２先端部の一例で、用紙束Ｐを貫通した一方の針足１２Ａの外側の面と対向する部位が曲面状に構成される。可動部材３１ＣＲは、受け部３２Ｃに対し近づく方向及び離れる方向に移動する端部に作用部３１１ＣＲを備える。作用部３１１ＣＲは第２先端部の一例で、用紙束Ｐを貫通した他方の針足１２Ａの外側の面と対向する部位が曲面状に構成される。
【００８８】
矢印ＡＺ方向において、可動部材３１ＣＬは、受け部３２Ｃより上側に設けられ、可動部材３１ＣＬの作用部３１１ＣＬが、受け部３２Ｃの被作用部３２１ＣＬより上側に設けられる。また、矢印ＡＺ方向において、可動部材３１ＣＲは、受け部３２Ｃより上側に設けられ、可動部材３１ＣＲの作用部３１１ＣＲが、受け部３２Ｃの被作用部３２１ＣＲより上側に設けられる。
【００８９】
図１２Ａは、可動部材３１ＣＬ、３１ＣＲが待機位置に移動した状態を示す。可動部材３１ＣＬ、３１ＣＲが待機位置に移動した状態では、可動部材３１ＣＬは、作用部３１１ＣＬと、受け部３２Ｃの被作用部３２１ＣＬとの間に所定の隙間が形成される。また、可動部材３１ＣＲは、作用部３１１ＣＲと、受け部３２Ｃの被作用部３２１ＣＲとの間に所定の隙間が形成される。
【００９０】
打出部材２１Ａで打ち出されたステープル１０Ａは、針足１２Ａが用紙束Ｐを貫通し、一方の針足１２Ａが作用部３１１ＣＬと被作用部３２１ＣＬとの間を通り、他方の針足１２Ａが作用部３１１ＣＲと被作用部３２１ＣＲとの間を通る。
【００９１】
図１２Ｂは、可動部材３１ＣＬ、３１ＣＲが曲げ終了位置に移動した状態を示す。可動部材３１ＣＬ、３１ＣＲが曲げ終了位置に移動した状態では、可動部材３１ＣＬは、作用部３１１ＣＬが被作用部３２１ＣＬを通過する位置まで移動する。また、可動部材３１ＣＲは、作用部３１１ＣＲが被作用部３２１ＣＲを通過する位置まで移動する。
【００９２】
図１２Ａ及び図１２Ｂに矢印Ｆ１で示すように、可動部材３１ＣＬが待機位置から曲げ終了位置に移動する過程で、まず、可動部材３１ＣＬの作用部３１１ＣＬが一方の針足１２Ａの外側の面に接する。作用部３１１ＣＬは、曲面状に構成されているので、凸状となる曲面の頂点が針足１２Ａに接する。また、可動部材３１ＣＲが待機位置から曲げ終了位置に移動する過程で、まず、可動部材３１ＣＲの作用部３１１ＣＲが他方の針足１２Ａの外側の面に接する。作用部３１１ＣＲは、曲面状に構成されているので、凸状となる曲面の頂点が針足１２Ａに接する。
【００９３】
受け部３２Ｃの被作用部３２１ＣＬ、３２１ＣＲの間隔Ｌ１は、クラウン部１１Ａの幅Ｌより短い。これにより、一対の針足１２Ａのそれぞれ外側から、用紙束Ｐから突出した部位を内側方向に押す力が加わることで、用紙束Ｐの上面を曲げの支点として、一対の針足１２Ａが、第１位置Ｐ１より用紙束Ｐ側に位置する針足１２Ａの第２位置Ｐ２で、それぞれ内側方向に曲げられる。
【００９４】
一対の針足１２Ａの用紙束Ｐから突出した部位が、それぞれ内側方向に曲げられると、一方の針足１２Ａが被作用部３２１ＣＬに接し、他方の針足１２Ａが被作用部３２１ＣＲに接する。被作用部３２１ＣＬは、曲面状に構成されているので、凸状となる曲面の頂点が針足１２Ａに接する。また、被作用部３２１ＣＲは、曲面状に構成されているので、凸状となる曲面の頂点が針足１２Ａに接する。
【００９５】
これにより、可動部材３１ＣＬが待機位置から曲げ終了位置に移動する過程で、一方の針足１２Ａが被作用部３２１ＣＬに接した状態で、この針足１２Ａを内側方向に押す力が更に加わる。よって、一方の針足１２Ａは、被作用部３２１ＣＬを支点として、被作用部３２１ＣＬに接した部位を第１位置Ｐ１として、第１位置Ｐ１より先端側が更に内側に曲げられる。また、可動部材３１ＣＲが待機位置から曲げ終了位置に移動する過程で、他方の針足１２Ａが被作用部３２１ＣＲに接した状態で、この針足１２Ａを内側方向に押す力が更に加わる。よって、他方の針足１２Ａは、被作用部３２１ＣＲを支点として、被作用部３２１ＣＲに接した部位を第１位置Ｐ１として、第１位置Ｐ１より先端側が更に内側に曲げられる。針足１２Ａ全体を第２位置Ｐ２から曲げる動作は、図８Ｃ、図８Ｄ、図９Ｃ、図９Ｄ、図１０Ｃ、図１０Ｄと同様である。
【００９６】
図１３Ａ、図１３Ｂは、本実施の形態のステープラの変形例を示す構成図である。ステープラ１Ｄの全体構成は、図２Ａ、図２Ｂ、図２Ｃで説明した構成と同等である。ステープラ１Ｄは、用紙束Ｐを貫通した針足１２Ａの先端が内側に向くように、針足１２Ａの第１位置Ｐ１を曲げる曲げ部３０Ｄを備える。
【００９７】
曲げ部３０Ｄは、一方の針足１２Ａの外側に可動部材３１ＤＬを備え、他方の針足１２Ａの外側に可動部材３１ＤＲを備える。更に、ステープラ１Ｄは、一対の針足１２Ａの間に受け部３２Ｄを備える。
【００９８】
受け部３２Ｄは第１部の一例で、一方の端部に被作用部３２１ＤＬを備える。被作用部３２１ＤＬは第１先端部の一例で、用紙束Ｐを貫通した一方の針足１２Ａの内側の面と対向する部位が平面状に構成される。受け部３２Ｄは、他方の端部に被作用部３２１ＤＲを備える。被作用部３２１ＤＲは第１先端部の一例で、用紙束Ｐを貫通した他方の針足１２Ａの内側の面と対向する部位が平面状に構成される。
【００９９】
可動部材３１ＤＬ、３１ＤＲは第２部の一例で、受け部３２Ｄに対し近づく方向及び離れる方向に移動する。可動部材３１ＤＬは、受け部３２Ｄに対し近づく方向及び離れる方向に移動する端部に作用部３１１ＤＬを備える。作用部３１１ＤＬは第２先端部の一例で、用紙束Ｐを貫通した一方の針足１２Ａの外側の面と対向する部位が、鋭角状に突出した凸部の頂点で構成される。可動部材３１ＤＲは、受け部３２Ｄに対し近づく方向及び離れる方向に移動する端部に作用部３１１ＤＲを備える。作用部３１１ＤＲは第２先端部の一例で、用紙束Ｐを貫通した他方の針足１２Ａの外側の面と対向する部位が、鋭角状に突出した凸部の頂点で構成される。
【０１００】
矢印ＡＺ方向において、可動部材３１ＤＬは、受け部３２Ｄより上側に設けられ、可動部材３１ＤＬの作用部３１１ＤＬが、受け部３２Ｄの被作用部３２１ＤＬより上側に設けられる。また、矢印ＡＺ方向において、可動部材３１ＤＲは、受け部３２Ｄより上側に設けられ、可動部材３１ＤＲの作用部３１１ＤＲが、受け部３２Ｄの被作用部３２１ＤＲより上側に設けられる。
【０１０１】
図１３Ａは、可動部材３１ＤＬ、３１ＤＲが待機位置に移動した状態を示す。可動部材３１ＤＬ、３１ＤＲが待機位置に移動した状態では、可動部材３１ＤＬは、作用部３１１ＤＬと、受け部３２Ｄの被作用部３２１ＤＬとの間に所定の隙間が形成される。また、可動部材３１ＤＲは、作用部３１１ＤＲと、受け部３２Ｄの被作用部３２１ＤＲとの間に所定の隙間が形成される。
【０１０２】
打出部材２１Ａで打ち出されたステープル１０Ａは、針足１２Ａが用紙束Ｐを貫通し、一方の針足１２Ａが作用部３１１ＤＬと被作用部３２１ＤＬとの間を通り、他方の針足１２Ａが作用部３１１ＤＲと被作用部３２１ＤＲとの間を通る。
【０１０３】
図１３Ｂは、可動部材３１ＤＬ、３１ＤＲが曲げ終了位置に移動した状態を示す。可動部材３１ＤＬ、３１ＤＲが曲げ終了位置に移動した状態では、可動部材３１ＤＬは、作用部３１１ＤＬが被作用部３２１ＤＬを通過する位置まで移動する。また、可動部材３１ＤＲは、作用部３１１ＤＲが被作用部３２１ＤＲを通過する位置まで移動する。
【０１０４】
図１３Ａ及び図１３Ｂに矢印Ｆ１で示すように、可動部材３１ＤＬが待機位置から曲げ終了位置に移動する過程で、まず、可動部材３１ＤＬの作用部３１１ＤＬが一方の針足１２Ａの外側の面に接する。作用部３１１ＤＬは、鋭角状に突出した凸部の頂点が針足１２Ａに接する。また、可動部材３１ＤＲが待機位置から曲げ終了位置に移動する過程で、まず、可動部材３１ＤＲの作用部３１１ＤＲが他方の針足１２Ａの外側の面に接する。作用部３１１ＤＲは、鋭角状に突出した凸部の頂点が針足１２Ａに接する。
【０１０５】
受け部３２Ｄの被作用部３２１ＤＬ、３２１ＤＲの間隔Ｌ１は、クラウン部１１Ａの幅Ｌより短い。これにより、一対の針足１２Ａのそれぞれ外側から、用紙束Ｐから突出した部位を内側方向に押す力が加わることで、用紙束Ｐの上面を曲げの支点として、一対の針足１２Ａが、第１位置Ｐ１より用紙束Ｐ側に位置する針足１２Ａの第２位置Ｐ２で、それぞれ内側方向に曲げられる。
【０１０６】
一対の針足１２Ａの用紙束Ｐから突出した部位が、それぞれ内側方向に曲げられると、一方の針足１２Ａが被作用部３２１ＤＬに接し、他方の針足１２Ａが被作用部３２１ＤＲに接する。
【０１０７】
これにより、可動部材３１ＤＬが待機位置から曲げ終了位置に移動する過程で、一方の針足１２Ａが被作用部３２１ＤＬに接した状態で、この針足１２Ａを内側方向に押す力が更に加わる。よって、一方の針足１２Ａは、被作用部３２１ＤＬを支点として、被作用部３２１ＤＬに接した部位を第１位置Ｐ１として、第１位置Ｐ１より先端側が更に内側に曲げられる。また、可動部材３１ＤＲが待機位置から曲げ終了位置に移動する過程で、他方の針足１２Ａが被作用部３２１ＤＲに接した状態で、この針足１２Ａを内側方向に押す力が更に加わる。よって、他方の針足１２Ａは、被作用部３２１ＤＲを支点として、被作用部３２１ＤＲに接した部位を第１位置Ｐ１として、第１位置Ｐ１より先端側が更に内側に曲げられる。針足１２Ａ全体を第２位置Ｐ２から曲げる動作は、図８Ｃ、図８Ｄ、図９Ｃ、図９Ｄ、図１０Ｃ、図１０Ｄと同様である。
【０１０８】
図１４Ａ、図１４Ｂは、本実施の形態のステープラの変形例を示す構成図である。ステープラＥの全体構成は、図２Ａ、図２Ｂ、図２Ｃで説明した構成と同等である。ステープラ１Ｅは、用紙束Ｐを貫通した針足１２Ａの先端が内側に向くように、針足１２Ａの第１位置Ｐ１を曲げる曲げ部３０Ｅを備える。
【０１０９】
曲げ部３０Ｅは、一方の針足１２Ａの外側に可動部材３１ＥＬを備え、他方の針足１２Ａの外側に可動部材３１ＥＲを備える。更に、ステープラ１Ｅは、一対の針足１２Ａの間に受け部３２Ｅを備える。
【０１１０】
受け部３２Ｅは第１部の一例で、一方の端部に被作用部３２１ＥＬを備える。被作用部３２１ＥＬは第１先端部の一例で、用紙束Ｐを貫通した一方の針足１２Ａの内側の面と対向する部位が平面状に構成される。受け部３２Ｅは、他方の端部に被作用部３２１ＥＲを備える。被作用部３２１ＥＲは第１先端部の一例で、用紙束Ｐを貫通した他方の針足１２Ａの内側の面と対向する部位が平面状に構成される。
【０１１１】
可動部材３１ＥＬ、３１ＥＲは第２部の一例で、受け部３２Ｅに対し近づく方向及び離れる方向に移動する。可動部材３１ＥＬは、受け部３２Ｅに対し近づく方向及び離れる方向に移動する端部に作用部３１１ＥＬを備える。作用部３１１ＥＬは第２先端部の一例で、用紙束Ｐを貫通した一方の針足１２Ａの外側の面と対向する部位が、鋭角状に突出した凸部の頂点で構成される。可動部材３１ＥＲは、受け部３２Ｅに対し近づく方向及び離れる方向に移動する端部に作用部３１１ＥＲを備える。作用部３１１ＥＲは第２先端部の一例で、用紙束Ｐを貫通した他方の針足１２Ａの外側の面と対向する部位が、鋭角状に突出した凸部の頂点で構成される。
【０１１２】
矢印ＡＺ方向において、可動部材３１ＥＬは、一部が受け部３２Ｅより上側に設けられ、可動部材３１ＥＬの作用部３１１ＥＬが、受け部３２Ｅの被作用部３２１ＥＬより上側に設けられる。また、矢印ＡＺ方向において、可動部材３１ＥＲは、一部が受け部３２Ｅより上側に設けられ、可動部材３１ＥＲの作用部３１１ＥＲが、受け部３２Ｅの被作用部３２１ＥＲより上側に設けられる。
【０１１３】
図１４Ａは、可動部材３１ＥＬ、３１ＥＲが待機位置に移動した状態を示す。可動部材３１ＥＬ、３１ＥＲが待機位置に移動した状態では、可動部材３１ＥＬは、作用部３１１ＥＬと、受け部３２Ｅの被作用部３２１ＥＬとの間に所定の隙間が形成される。また、可動部材３１ＥＲは、作用部３１１ＥＲと、受け部３２Ｅの被作用部３２１ＥＲとの間に所定の隙間が形成される。
【０１１４】
打出部材２１Ａで打ち出されたステープル１０Ａは、針足１２Ａが用紙束Ｐを貫通し、一方の針足１２Ａが作用部３１１ＥＬと被作用部３２１ＥＬとの間を通り、他方の針足１２Ａが作用部３１１ＥＲと被作用部３２１ＥＲとの間を通る。
【０１１５】
図１４Ｂは、可動部材３１ＥＬ、３１ＥＲが曲げ終了位置に移動した状態を示す。可動部材３１ＥＬ、３１ＥＲが曲げ終了位置に移動した状態では、可動部材３１ＥＬは、作用部３１１ＥＬが被作用部３２１ＥＬを通過する位置まで移動する。また、可動部材３１ＥＲは、作用部３１１ＥＲが被作用部３２１ＥＲを通過する位置まで移動する。
【０１１６】
図１４Ａ及び図１４Ｂに矢印Ｆ１で示すように、可動部材３１ＥＬが待機位置から曲げ終了位置に移動する過程で、まず、可動部材３１ＥＬの作用部３１１ＥＬが一方の針足１２Ａの外側の面に接する。作用部３１１ＥＬは、鋭角状に突出した凸部の頂点が針足１２Ａに接する。また、可動部材３１ＥＲが待機位置から曲げ終了位置に移動する過程で、まず、可動部材３１ＥＲの作用部３１１ＥＲが他方の針足１２Ａの外側の面に接する。作用部３１１ＥＲは、鋭角状に突出した凸部の頂点が針足１２Ａに接する。
【０１１７】
受け部３２Ｅの被作用部３２１ＥＬ、３２１ＥＲの間隔Ｌ１は、クラウン部１１Ａの幅Ｌより短い。これにより、一対の針足１２Ａのそれぞれ外側から、用紙束Ｐから突出した部位を内側方向に押す力が加わることで、用紙束Ｐの上面を曲げの支点として、一対の針足１２Ａが、第１位置Ｐ１より用紙束Ｐ側に位置する針足１２Ａの第２位置Ｐ２で、それぞれ内側方向に曲げられる。
【０１１８】
一対の針足１２Ａの用紙束Ｐから突出した部位が、それぞれ内側方向に曲げられると、一方の針足１２Ａが被作用部３２１ＥＬに接し、他方の針足１２Ａが被作用部３２１ＥＲに接する。
【０１１９】
これにより、可動部材３１ＥＬが待機位置から曲げ終了位置に移動する過程で、一方の針足１２Ａが被作用部３２１ＥＬに接した状態で、この針足１２Ａを内側方向に押す力が更に加わる。よって、一方の針足１２Ａは、被作用部３２１ＥＬを支点として、被作用部３２１ＥＬに接した部位を第１位置Ｐ１として、第１位置Ｐ１より先端側が更に内側に曲げられる。また、可動部材３１ＥＲが待機位置から曲げ終了位置に移動する過程で、他方の針足１２Ａが被作用部３２１ＥＲに接した状態で、この針足１２Ａを内側方向に押す力が更に加わる。よって、他方の針足１２Ａは、被作用部３２１ＥＲを支点として、被作用部３２１ＥＲに接した部位を第１位置Ｐ１として、第１位置Ｐ１より先端側が更に内側に曲げられる。針足１２Ａ全体を第２位置Ｐ２から曲げる動作は、図８Ｃ、図８Ｄ、図９Ｃ、図９Ｄ、図１０Ｃ、図１０Ｄと同様である。
【０１２０】
図１５Ａ、図１５Ｂは、本実施の形態のステープラの変形例を示す構成図である。ステープラ１Ｆの全体構成は、図２Ａ、図２Ｂ、図２Ｃで説明した構成と同等である。ステープラ１Ｆは、用紙束Ｐを貫通した針足１２Ａの先端が内側に向くように、針足１２Ａの第１位置Ｐ１を曲げる曲げ部３０Ｆを備える。
【０１２１】
曲げ部３０Ｆは、一方の針足１２Ａの外側に受け部３２ＦＬを備え、他方の針足１２Ａの外側に受け部３２ＦＲを備える。更に、ステープラ１Ｆは、一方の針足１２Ａの内側に可動部材３１ＦＬを備え、他方の針足１２Ａの内側に可動部材３１ＦＲを備える。
【０１２２】
可動部材３１ＦＬ、３１ＦＲは第１部の一例で、可動部材３１ＦＬが受け部３２ＦＬに対し近づく方向及び離れる方向に移動し、可動部材３１ＦＲが受け部３２ＦＲに対し近づく方向及び離れる方向に移動する。可動部材３１ＦＬは、受け部３２ＦＬに対し近づく方向及び離れる方向に移動する端部に作用部３１１ＦＬを備える。作用部３１１ＦＬは第１先端部の一例で、用紙束Ｐを貫通した一方の針足１２Ａの内側の面と対向する部位が、鋭角状に突出した凸部の頂点で構成される。可動部材３１ＦＲは、受け部３２ＦＲに対し近づく方向及び離れる方向に移動する端部に作用部３１１ＦＲを備える。作用部３１１ＦＲは第１先端部の一例で、用紙束Ｐを貫通した他方の針足１２Ａの内側の面と対向する部位が、鋭角状に突出した凸部の頂点で構成される。
【０１２３】
受け部３２ＦＬ、３２ＦＲは第２部の一例で、受け部３２ＦＬは、可動部材３１ＦＬと対向する端部に被作用部３２１ＦＬを備える。被作用部３２１ＦＬは第２先端部の一例で、用紙束Ｐを貫通した一方の針足１２Ａの外側の面と対向する部位が、鋭角状に突出した凸部の頂点で構成される。受け部３２ＦＲは、可動部材３１ＦＲと対向する端部に被作用部３２１ＦＲを備える。被作用部３２１ＦＲは第２先端部の一例で、用紙束Ｐを貫通した他方の針足１２Ａの外側の面と対向する部位が、鋭角状に突出した凸部の頂点で構成される。
【０１２４】
矢印ＡＺ方向において、受け部３２ＦＬは、可動部材３１ＦＬより上側に設けられ、受け部３２ＦＬの被作用部３２１ＦＬが、可動部材３１ＦＬの作用部３１１ＦＬより上側に設けられる。また、矢印ＡＺ方向において、受け部３２ＦＲは、可動部材３１ＦＲより上側に設けられ、受け部３２ＦＲの被作用部３２１ＦＲが、可動部材３１ＦＲの作用部３１１ＦＲより上側に設けられる。
【０１２５】
図１５Ａは、可動部材３１ＦＬ、３１ＦＲが待機位置に移動した状態を示す。可動部材３１ＦＬ、３１ＦＲが待機位置に移動した状態では、可動部材３１ＦＬは、作用部３１１ＦＬと、受け部３２ＦＬの被作用部３２１ＦＬとの間に所定の隙間が形成される。また、可動部材３１ＦＲは、作用部３１１ＦＲと、受け部３２ＦＲの被作用部３２１ＦＲとの間に所定の隙間が形成される。
【０１２６】
打出部材２１Ａで打ち出されたステープル１０Ａは、針足１２Ａが用紙束Ｐを貫通し、一方の針足１２Ａが作用部３１１ＦＬと被作用部３２１ＦＬとの間を通り、他方の針足１２Ａが作用部３１１ＦＲと被作用部３２１ＦＲとの間を通る。
【０１２７】
図１５Ｂは、可動部材３１ＦＬ、３１ＦＲが曲げ終了位置に移動した状態を示す。可動部材３１ＦＬ、３１ＦＲが曲げ終了位置に移動した状態では、可動部材３１ＦＬは、作用部３１１ＦＬが被作用部３２１ＦＬを通過する位置まで移動する。また、可動部材３１ＦＲは、作用部３１１ＦＲが被作用部３２１ＦＲを通過する位置まで移動する。
【０１２８】
図１５Ａ及び図１５Ｂに矢印Ｆ４で示すように、可動部材３１ＦＬが待機位置から曲げ終了位置に移動する過程で、可動部材３１ＦＬの作用部３１１ＦＬが一方の針足１２Ａの内側の面に接する。作用部３１１ＦＬは、鋭角状に突出した凸部の頂点が針足１２Ａに接する。また、一方の針足１２Ａの外側の面が、受け部３２ＦＬの被作用部３２１ＦＬに接する。被作用部３２１ＦＬは、鋭角状に突出した凸部の頂点が針足１２Ａに接する。
【０１２９】
可動部材３１ＦＲが待機位置から曲げ終了位置に移動する過程で、可動部材３１ＦＲの作用部３１１ＦＲが他方の針足１２Ａの内側の面に接する。作用部３１１ＦＲは、鋭角状に突出した凸部の頂点が針足１２Ａに接する。また、他方の針足１２Ａの外側の面が、受け部３２ＦＲの被作用部３２１ＦＲに接する。被作用部３２１ＦＲは、鋭角状に突出した凸部の頂点が針足１２Ａに接する。
【０１３０】
これにより、一対の針足１２Ａのそれぞれ内側から、用紙束Ｐから突出した部位を外側方向に押す力が加わることで、用紙束Ｐの上面を曲げの支点として、一対の針足１２Ａが、第１位置Ｐ１より用紙束Ｐ側に位置する針足１２Ａの第２位置Ｐ２で、それぞれ外側方向に曲げられる。また、一方の針足１２Ａは、先端の外側が被作用部３２１ＦＬに接しているので、作用部３１１ＦＬを支点として、作用部３１１ＦＬに接した部位を第１位置Ｐ１として、第１位置Ｐ１より先端側が内側に曲げられる。他方の針足１２Ａは、先端の外側が被作用部３２１ＦＲに接しているので、作用部３１１ＦＲを支点として、作用部３１１ＦＲに接した部位を第１位置Ｐ１として、第１位置Ｐ１より先端側が内側に曲げられる。針足１２Ａ全体を第２位置Ｐ２から曲げる動作は、図８Ｃ、図８Ｄ、図９Ｃ、図９Ｄ、図１０Ｃ、図１０Ｄと同様である。
【符号の説明】
【０１３１】
１Ａ・・・ステープラ、１０Ａ・・・ステープル、１２Ａ・・・針足、２Ａ・・・打出ユニット、２０Ａ・・・打出部、２１Ａ・・・打出部材、３Ａ・・・綴じユニット、３０Ａ、３０Ｂ、３０Ｃ、３０Ｄ、３０Ｅ、３０Ｆ・・・曲げ部、３１ＡＬ、３１ＡＲ、３１ＢＬ、３１ＢＲ、３１ＣＬ、３１ＣＲ、３１ＤＬ、３１ＤＲ、３１ＥＬ、３１ＥＲ・・・可動部材（第２部）、３１ＦＬ、３１ＦＲ・・・可動部材（第１部）、３０１ＡＬ、３０１ＡＲ・・・移動部、３１０ＡＬ、３１０ＡＲ・・・軸受け部、３１１ＡＬ、３１１ＡＲ・・・作用部（第２先端部、第２切断縁）、３１１ＢＬ、３１１ＢＲ、３１１ＣＬ、３１１ＣＲ、３１１ＤＬ、３１１ＤＲ、３１１ＥＬ、３１１ＥＲ・・・作用部（第２先端部）、３１１ＦＬ、３１１ＦＲ・・・作用部（第１先端部）、３２Ａ、３２Ｂ、３２Ｃ、３２Ｄ、３２Ｅ・・・受け部（第１部）、３２ＦＬ、３２ＦＲ・・・受け部（第２部）、３２０Ａ・・・支持部材、３２０ＡＬ、３２０ＡＲ・・・軸、３２１ＡＬ、３２１ＡＲ・・・第１の被作用部（第１先端部）、３２２ＡＬ、３２２ＡＲ・・・第２の被作用部（第１切断縁）、３２１ＡＬ、３２１ＡＲ、３２１ＢＬ、３２１ＢＲ、３２１ＣＬ、３２１ＣＲ、３２１ＤＬ、３２１ＤＲ、３２１ＥＬ、３２１ＥＲ・・・被作用部（第１先端部）、３２１ＦＬ、３２１ＦＲ・・・被作用部（第２先端部）、３２３ＡＬ、３２３ＡＲ・・・傾斜部、３３Ａ・・・クリンチャ部、３３ＡＬ、３３ＡＲ・・・曲げ部材、３４Ａ・・・切断部、４Ａ・・・用紙挟持部、４０Ａ・・・載置部、５Ａ・・・駆動部、６Ａ・・・カット針収納部、１００Ａ・・・ステープルカートリッジ
【図１】
2020069778.tif 000003
【図２Ａ】
2020069778.tif 000004
【図２Ｂ】
2020069778.tif 000005
【図２Ｃ】
2020069778.tif 000006
【図３Ａ】
2020069778.tif 000007
【図３Ｂ】
2020069778.tif 000008
【図３Ｃ】
2020069778.tif 000009
【図３Ｄ】
2020069778.tif 000010
【図３Ｅ】
2020069778.tif 000011
【図４】
2020069778.tif 000012
【図５】
2020069778.tif 000013
【図６】
2020069778.tif 000014
【図７】
2020069778.tif 000015
【図８Ａ】
2020069778.tif 000016
【図８Ｂ】
2020069778.tif 000017
【図８Ｃ】
2020069778.tif 000018
【図８Ｄ】
2020069778.tif 000019
【図９Ａ】
2020069778.tif 000020
【図９Ｂ】
2020069778.tif 000021
【図９Ｃ】
2020069778.tif 000022
【図９Ｄ】
2020069778.tif 000023
【図１０Ａ】
2020069778.tif 000024
【図１０Ｂ】
2020069778.tif 000025
【図１０Ｃ】
2020069778.tif 000026
【図１０Ｄ】
2020069778.tif 000027
【図１１Ａ】
2020069778.tif 000028
【図１１Ｂ】
2020069778.tif 000029
【図１２Ａ】
2020069778.tif 000030
【図１２Ｂ】
2020069778.tif 000031
【図１３Ａ】
2020069778.tif 000032
【図１３Ｂ】
2020069778.tif 000033
【図１４Ａ】
2020069778.tif 000034
【図１４Ｂ】
2020069778.tif 000035
【図１５Ａ】
2020069778.tif 000036
【図１５Ｂ】
2020069778.tif 000037